(57)【要約】【課題】通信セルの識別情報を重複して割り当てることを可能としつつ、移動局から通知された識別情報に基づいて、移動局が通信確立を希望する通信セルを適性に判別できるようにする。【解決手段】スクランブリングコードＳＣが移動局１５から無線制御装置１１２に通知されると、セル重複判定手段１２ｄは、セル識別情報取得手段１２ｃにて取得された通信セル＃Ａ〜＃ＪについてのスクランブリングコードＳＣが追加候補セルリスト１２ａに重複して登録されているかどうかを判定し、周辺セル選択優先度判定手段１２ｅは、セル識別情報取得手段１２ｃにて取得された通信セル＃Ａ〜＃ＪについてのスクランブリングコードＳＣが追加候補セルリスト１２ａに重複して登録されている場合、所定の手順に従ってそれらの通信セル＃Ａ〜＃Ｊの選択の優先度を判定する。【選択図】      図１
2008271398.tif 000002
【特許請求の範囲】
【請求項１】
移動局が周辺セルから選択する可能性のある通信セルについての識別情報が登録された追加候補セルリストを管理する追加候補セルリスト管理手段と、
移動局が通信確立を希望する通信セルについての識別情報を取得するセル識別情報取得手段と、
前記セル識別情報取得手段にて取得された前記通信セルについての識別情報が前記追加候補セルリストに重複して登録されているかどうかを判定するセル重複判定手段と、
所定の手順に従って、前記識別情報が前記追加候補セルリストに重複して登録されている通信セルの選択の優先度を判定する周辺セル選択優先度判定手段とを備えることを特徴とする無線制御装置。
【請求項２】
前記周辺セル選択優先度判定手段は、前記移動局が現在移動している方向、あるいは前記移動局が現在移動している方向を示す方位ベクトルと、前記識別情報が前記追加候補セルリストに重複して登録されている通信セルへ向かう方向とが成す角度、あるいは前記移動局と現在通信が確立している通信セルと、前記識別情報が追加候補セルリストに重複して登録されている通信セルとの間の距離、あるいは前記識別情報が追加候補セルリストに重複して登録されている通信セルを周辺セルとして現在通信が確立している通信セルにおける通信品質に基づいて、前記識別情報が前記追加候補セルリストに重複して登録されている通信セルの選択の優先度を判定することを特徴とする請求項１記載の無線制御装置。
【請求項３】
複数の通信セルに分割された無線区間の通信リンクを制御する無線制御装置と、
前記通信セルにおいて移動局と通信リンクを確立する基地局とを備える移動通信システムにおいて、
前記無線制御装置は、
前記移動局が周辺セルから選択する可能性のある通信セルについての識別情報が登録された追加候補セルリストを管理する追加候補セルリスト管理手段と、
前記移動局が通信確立を希望する通信セルについての識別情報を取得するセル識別情報取得手段と、
前記セル識別情報取得手段にて取得された前記通信セルについての識別情報が前記追加候補セルリストに重複して登録されているかどうかを判定するセル重複判定手段と、
所定の手順に従って、前記識別情報が前記追加候補セルリストに重複して登録されている通信セルの選択の優先度を判定する周辺セル選択優先度判定手段とを備えることを特徴とする移動通信システム。
【請求項４】
移動局が周辺セルから選択する可能性のある通信セルについての識別情報が登録された追加候補セルリストを管理するステップと、
移動局が通信確立を希望する通信セルについての識別情報を取得するステップと、
前記取得した通信セルについての識別情報が前記追加候補セルリストに重複して登録されているかどうかを判定するステップと、
所定の手順に従って、前記識別情報が前記追加候補セルリストに重複して登録されている通信セルの選択の優先度を判定するステップとを備えることを特徴とする通信セル選択方法。
【請求項５】
前記優先度に基づいて選択された通信セルにおける通信リンクの確立が失敗した場合、その通信リンクの確立が失敗した通信セルについての識別情報を前記追加候補セルリストから削除するステップと、
前記通信リンクの確立が失敗した通信セルについての識別情報が削除された追加候補セルリストにおいて、前記移動局から取得した通信セルについての識別情報が重複して登録されているかどうかを判定するステップと、
所定の手順に従って、前記識別情報が前記追加候補セルリストに重複して登録されている通信セルの選択の優先度を判定するステップとを備えることを特徴とする請求項４記載の通信セル選択方法。
【請求項６】
前記移動局が周辺セルから選択する可能性のある通信セルについての識別情報を前記追加候補セルリストに登録するとともに、前記識別情報の登録時の時間的順序を登録するステップを備え、
前記識別情報の登録時の時間的順序に従って、前記識別情報が前記追加候補セルリストに重複して登録されている通信セルの選択の優先度を判定することを特徴とする請求項４または５記載の通信セル選択方法。
【請求項７】
前記移動局が周辺セルから選択する可能性のある通信セルについての識別情報を前記追加候補セルリストに登録するとともに、前記通信セルがどの通信セルの周辺セルであるかを登録するステップを備え、
前記識別情報が前記追加候補セルリストに重複して登録されている通信セルを周辺セルとして現在通信が確立している通信セルにおける通信品質に基づいて、前記識別情報が前記追加候補セルリストに重複して登録されている通信セルの選択の優先度を判定することを特徴とする請求項４から６のいずれか１項記載の通信セル選択方法。
【請求項８】
前記移動局が周辺セルから選択する可能性のある通信セルについての識別情報を前記追加候補セルリストに登録するとともに、前記通信セルについての位置情報を登録するステップを備え、
前記移動局と現在通信が確立している通信セルの位置情報および前記識別情報が前記追加候補セルリストに重複して登録されている通信セルの位置情報に基づいて、前記識別情報が前記追加候補セルリストに重複して登録されている通信セルの選択の優先度を判定することを特徴とする請求項４から７のいずれか１項記載の通信セル選択方法。
【請求項９】
前記優先度に基づいて選択された通信セルにおける通信リンクの確立が成功した場合、前記通信セルについての選択の優先度を高くすることを特徴とする請求項４から８のいずれか１項記載の通信セル選択方法。
【請求項１０】
前記識別情報が前記追加候補セルリストに重複して登録されている全ての通信セルとの通信の確立を試みるステップを備え、
前記通信セルとの通信の確立の手順から得られる情報に基づいて、前記識別情報が前記追加候補セルリストに重複して登録されている通信セルの選択の優先度を判定することを特徴とする請求項４から９のいずれか１項記載の通信セル選択方法。
【発明の詳細な説明】
【技術分野】
【０００１】
本発明は無線制御装置、移動通信システムおよび通信セル選択方法に関し、特に、同一の識別情報が割り当てられた複数の通信セルの中から優先度のより高い通信セルを選択する方法に適用して好適なものである。
【背景技術】
【０００２】
移動通信システムでは、移動状態にある移動局が通信リンクを切ることなく通信が継続されるようにするために、無線区間を通信セルに分割し、移動局が通信セルを切り替えながらネットワークと通信することが行われている。
図６は、従来の無線制御装置が適用される移動通信システムの概略構成を示すブロック図である。
【０００３】
図６において、移動通信システムには、無線区間の通信リンクを制御する無線制御装置１１２が設けられ、基地局１１３ａ〜１１３ｃとコアネットワーク１１１とは無線制御装置１１２を介して接続されている。そして、携帯電話などの移動局１１５と通信リンクが確立される無線区間は通信セル＃Ａ、＃Ｂ、＃Ｃ、＃Ｅ、＃Ｆ、＃Ｈに分割されている。
そして、無線制御装置１１２は、通信セル＃Ａ、＃Ｂ、＃Ｃ、＃Ｅ、＃Ｆ、＃Ｈの品質などの情報から適切な通信リンクが確立される通信セル＃Ａ、＃Ｂ、＃Ｃ、＃Ｅ、＃Ｆ、＃Ｈを判定し、その通信セル＃Ａ、＃Ｂ、＃Ｃ、＃Ｅ、＃Ｆ、＃Ｈにおける移動局１１５と基地局１１３ａ〜１１３ｃとの通信リンクを確立することで、移動局１１５とコアネットワーク１１１との通信を実現することができる。
【０００４】
ここで、Ｗ−ＣＤＭＡ方式の移動通信システムでは、通信セル＃Ａ、＃Ｂ、＃Ｃ、＃Ｅ、＃Ｆ、＃Ｈごとにスクランブリングコード（Ｓｃｒａｍｂｌｉｎｇ  Ｃｏｄｅ）を割り当てることで無線区間が分割されている。そして、移動局１１５は無線区間においてスクランブリングコードを検索することにより、通信セル＃Ａ、＃Ｂ、＃Ｃ、＃Ｅ、＃Ｆ、＃Ｈを識別することができる。また、Ｗ−ＣＤＭＡ方式の移動通信システムでは、通信状況によって、移動局１１５は最大で３本の通信リンクを同時に設定することができる。
【０００５】
図７は、移動状態にある移動局と基地局との無線リンクの切り替え方法を示す図である。
図７（ａ）において、移動状態にある移動局１１５は、通信セル＃Ａ、＃Ｂにおいて基地局１１３ａ〜１１３ｃとの通信リンクを確立しているものとする。そして、移動局１１５が移動するに従って、無線制御装置１１２は、通信セル＃Ａ、＃Ｂ、＃Ｃ、＃Ｅ、＃Ｆ、＃Ｈの品質などの情報から適切な通信リンクが確立される通信セル＃Ａ、＃Ｂ、＃Ｃ、＃Ｅ、＃Ｆ、＃Ｈを判定し、移動局１１５は、通信セル＃Ｃ、＃Ｆにおいて基地局１１３ａ〜１１３ｃとの通信リンクを確立することにより、通信リンクを切ることなく通信を継続することができる。
【０００６】
図８は、移動局に追加される通信セルの選択方法を示す図である。
図８において、無線制御装置１１２は、通信セル＃Ａ〜＃Ｊの周辺に存在し、移動局１１５が次に選択する可能性のある単数または複数の通信セル＃Ａ〜＃Ｊを周辺セルとして通信セル＃Ａ〜＃Ｊごとに管理することができる。そして、無線制御装置１１２は、周辺セルから移動局１１５が次に選択する可能性のある単数または複数の通信セル＃Ａ〜＃Ｊのリストを追加候補セルリスト１２ａとして保持することができる。そして、移動局１１５との通信リンクを確立している単数または複数の通信セル＃Ａ〜＃Ｊの変化に応じて追加候補セルリスト１２ａを順次更新しながら、追加候補セルリスト１２ａの内容を移動局１１５に通知することができる。
【０００７】
例えば、通信セル＃Ａの周辺セルが通信セル＃Ａ〜＃Ｇ、通信セル＃Ｂの周辺セルが通信セル＃Ａ〜＃Ｄ、＃Ｈ〜＃Ｊであるとすると、追加候補セルリスト１２ａには、通信セル＃Ａ〜＃Ｊの情報が保持される。ここで、通信セル＃Ａ〜＃Ｊには、通信セル＃Ａ〜＃Ｊを識別するためのスクランブリングコードＳＣが割り当てられ、追加候補セルリスト１２ａでは、このスクランブリングコードＳＣに基づいて通信セル＃Ａ〜＃Ｊを特定することができる。
【０００８】
そして、移動状態にある移動局１１５は、通信セル＃Ａ、＃Ｂにおいて基地局１１３ａ〜１１３ｃとの通信リンクを確立しているものとすると、Ｗ−ＣＤＭＡ方式の移動通信システムでは、新たに通信確立を希望する通信セル＃Ａ〜＃Ｊとして、追加候補セルリスト１２ａから検索された通信セル＃Ａ〜＃ＪのスクランブリングコードＳＣを無線制御装置１１２に通知することができる。
【０００９】
そして、無線制御装置１１２は、移動局１１５から通知された通信セル＃Ａ〜＃Ｊのスクランブリングコードに基づいて追加候補セルリスト１２ａを検索することにより、移動局１１５が次に通信確立を希望する通信セル＃Ａ〜＃Ｊを特定し、その通信セル＃Ａ〜＃Ｊにおける通信リンクの確立を試みることができる。
ここで、移動局１１５が次に通信確立を希望する通信セル＃Ａ〜＃Ｊを追加候補セルリスト１２ａから検索することで、通信中の移動局１１５は移動通信システムに存在する全ての通信セル＃Ａ〜＃Ｊを検索することなく、適切な通信リンクが確立される通信セル＃Ａ〜＃Ｊを特定することができ、通信セル＃Ａ〜＃Ｊの検索にかかる電力や時間を削減することができる。
【００１０】
また、例えば、特許文献１には、基地局が使用すべきスクランブリングコードを自動設定することができるようにするために、基地局に、基地局識別子と暫定的に割り当てられた暫定下りスクランブリングコードとを設定するスクランブリングコード設定手段と、暫定下りスクランブリングコードで基地局識別子を拡散し送信する送信手段とを設ける方法が開示されている。
【特許文献１】特開２００６−１４０８２９号公報
【発明の開示】
【発明が解決しようとする課題】
【００１１】
しかしながら、通信セル＃Ａ〜＃Ｊには同一のスクランブリングコードが割り当てられることがあり、例えば、図８に示すように、通信セル＃Ｆ、＃Ｈには同一のスクランブリングコードＳＣ＝１００が割り当てられているものとする。そして、移動局１１５との通信リンクを確立している通信セル＃Ａの周辺セル＃Ａ〜＃Ｇの中に通信セル＃Ｆが存在し、移動局１１５との通信リンクを確立している通信セル＃Ｂの周辺セル＃Ａ〜＃Ｄ、＃Ｈ〜＃Ｊの中に通信セル＃Ｈが存在するものとすると、追加候補セルリスト１２ａには、互いに異なる通信セル＃Ｆ、＃Ｈに対して同一のスクランブリングコードＳＣ＝１００が登録される。
【００１２】
そして、無線制御装置１１２は、移動局１１５が新たに通信確立を希望する通信セル＃Ａ〜＃ＪとしてスクランブリングコードＳＣ＝１００が通知されると、そのスクランブリングコードＳＣ＝１００が割り当てられている通信セル＃Ｆ、＃Ｈのうちどちらの通信セル＃Ｆ、＃Ｈとの通信の確立を移動局１１５が希望しているか判断することができないため、通信の確立に支障を来たすようになる。
このため、従来の移動通信システムでは、隣接する通信セル＃Ａ〜＃Ｊに対して同一のスクランブリングコードが割り当てられないようにする必要があるとともに、同時に通信リンクが確立される可能性のある通信セル＃Ａ〜＃Ｊの周辺セルについても同一のスクランブリングコードが割り当てられないようにする必要がある。
【００１３】
この結果、通信トラフィックの多い地域などにおいて移動通信システムの通信容量を拡大するために、通信セル＃Ａ〜＃Ｊを密に設計する場合においては、セル設計をする上での障害になるという問題があった。
そこで、本発明の目的は、通信セルの識別情報を重複して割り当てることを可能としつつ、移動局から通知された識別情報に基づいて、移動局が通信確立を希望する通信セルを適性に判別することが可能な無線制御装置、移動通信システムおよび通信セル選択方法を提供することである。
【課題を解決するための手段】
【００１４】
上述した課題を解決するために、請求項１記載の無線制御装置によれば、移動局が周辺セルから選択する可能性のある通信セルについての識別情報が登録された追加候補セルリストを管理する追加候補セルリスト管理手段と、移動局が通信確立を希望する通信セルについての識別情報を取得するセル識別情報取得手段と、前記セル識別情報取得手段にて取得された前記通信セルについての識別情報が前記追加候補セルリストに重複して登録されているかどうかを判定するセル重複判定手段と、所定の手順に従って、前記識別情報が前記追加候補セルリストに重複して登録されている通信セルの選択の優先度を判定する周辺セル選択優先度判定手段とを備えることを特徴とする。
【００１５】
また、請求項２記載の無線制御装置によれば、前記周辺セル選択優先度判定手段は、前記移動局が現在移動している方向、あるいは前記移動局が現在移動している方向を示す方位ベクトルと、前記識別情報が前記追加候補セルリストに重複して登録されている通信セルへ向かう方向とが成す角度、あるいは前記移動局と現在通信が確立している通信セルと、前記識別情報が追加候補セルリストに重複して登録されている通信セルとの間の距離、あるいは前記識別情報が追加候補セルリストに重複して登録されている通信セルを周辺セルとして現在通信が確立している通信セルにおける通信品質に基づいて、前記識別情報が前記追加候補セルリストに重複して登録されている通信セルの選択の優先度を判定することを特徴とする。
【００１６】
また、請求項３記載の移動通信システムによれば、複数の通信セルに分割された無線区間の通信リンクを制御する無線制御装置と、前記通信セルにおいて移動局と通信リンクを確立する基地局とを備える移動通信システムにおいて、前記無線制御装置は、前記移動局が周辺セルから選択する可能性のある通信セルについての識別情報が登録された追加候補セルリストを管理する追加候補セルリスト管理手段と、前記移動局が通信確立を希望する通信セルについての識別情報を取得するセル識別情報取得手段と、前記セル識別情報取得手段にて取得された前記通信セルについての識別情報が前記追加候補セルリストに重複して登録されているかどうかを判定するセル重複判定手段と、所定の手順に従って、前記識別情報が前記追加候補セルリストに重複して登録されている通信セルの選択の優先度を判定する周辺セル選択優先度判定手段とを備えることを特徴とする。
【００１７】
また、請求項４記載の通信セル選択方法によれば、移動局が周辺セルから選択する可能性のある通信セルについての識別情報が登録された追加候補セルリストを管理するステップと、移動局が通信確立を希望する通信セルについての識別情報を取得するステップと、前記取得した通信セルについての識別情報が前記追加候補セルリストに重複して登録されているかどうかを判定するステップと、所定の手順に従って、前記識別情報が前記追加候補セルリストに重複して登録されている通信セルの選択の優先度を判定するステップとを備えることを特徴とする。
【００１８】
また、請求項５記載の通信セル選択方法によれば、前記優先度に基づいて選択された通信セルにおける通信リンクの確立が失敗した場合、その通信リンクの確立が失敗した通信セルについての識別情報を前記追加候補セルリストから削除するステップと、前記通信リンクの確立が失敗した通信セルについての識別情報が削除された追加候補セルリストにおいて、前記移動局から取得した通信セルについての識別情報が重複して登録されているかどうかを判定するステップと、所定の手順に従って、前記識別情報が前記追加候補セルリストに重複して登録されている通信セルの選択の優先度を判定するステップとを備えることを特徴とする。
【００１９】
また、請求項６記載の通信セル選択方法によれば、前記移動局が周辺セルから選択する可能性のある通信セルについての識別情報を前記追加候補セルリストに登録するとともに、前記識別情報の登録時の時間的順序を登録するステップを備え、前記識別情報の登録時の時間的順序に従って、前記識別情報が前記追加候補セルリストに重複して登録されている通信セルの選択の優先度を判定することを特徴とする。
【００２０】
また、請求項７記載の通信セル選択方法によれば、前記移動局が周辺セルから選択する可能性のある通信セルについての識別情報を前記追加候補セルリストに登録するとともに、前記通信セルがどの通信セルの周辺セルであるかを登録するステップを備え、前記識別情報が前記追加候補セルリストに重複して登録されている通信セルを周辺セルとして現在通信が確立している通信セルにおける通信品質に基づいて、前記識別情報が前記追加候補セルリストに重複して登録されている通信セルの選択の優先度を判定することを特徴とする。
【００２１】
また、請求項８記載の通信セル選択方法によれば、前記移動局が周辺セルから選択する可能性のある通信セルについての識別情報を前記追加候補セルリストに登録するとともに、前記通信セルについての位置情報を登録するステップを備え、前記移動局と現在通信が確立している通信セルの位置情報および前記識別情報が前記追加候補セルリストに重複して登録されている通信セルの位置情報に基づいて、前記識別情報が前記追加候補セルリストに重複して登録されている通信セルの選択の優先度を判定することを特徴とする。
【００２２】
また、請求項９記載の通信セル選択方法によれば、前記優先度に基づいて選択された通信セルにおける通信リンクの確立が成功した場合、前記通信セルについての選択の優先度を高くすることを特徴とする。
また、請求項１０記載の通信セル選択方法によれば、前記識別情報が前記追加候補セルリストに重複して登録されている全ての通信セルとの通信の確立を試みるステップを備え、前記通信セルとの通信の確立の手順から得られる情報に基づいて、前記識別情報が前記追加候補セルリストに重複して登録されている通信セルの選択の優先度を判定することを特徴とする。
【発明の効果】
【００２３】
以上説明したように、本発明によれば、識別情報が追加候補セルリストに重複して登録されている通信セルの選択の優先度を判定することにより、移動局が新たに通信確立を希望する通信セルの識別情報が追加候補セルリストに重複して登録されている場合においても、移動局が新たに通信確立を希望する通信セルを無線制御装置にて特定することが可能となる。このため、通信セルの識別情報を重複して割り当てることを可能としつつ、移動局が通信確立を希望する通信セルを無線制御装置にて適性に判別することが可能となり、セル設計をする上での柔軟性を確保しつつ、通信セルを密に配置することを可能として、移動通信システムの通信容量を拡大することができる。
【発明を実施するための最良の形態】
【００２４】
以下、本発明の実施形態に係る無線制御装置について図面を参照しながら説明する。
図１は、本発明の一実施形態に係る無線制御装置が適用される移動通信システムの概略構成を示すブロック図である。
図１において、移動通信システムには、無線区間の通信リンクを制御する無線制御装置１２が設けられ、基地局１３ａ〜１３ｃとコアネットワーク１１とは無線制御装置１２を介して接続されている。そして、携帯電話などの移動局１５と通信リンクが確立される無線区間は通信セル＃Ａ〜＃Ｊに分割されている。
【００２５】
ここで、無線制御装置１２には、移動局１５が周辺セルから選択する可能性のある通信セル＃Ａ〜＃ＪについてのスクランブリングコードＳＣが登録された追加候補セルリスト１２ａが保持されている。そして、無線制御装置１２には、追加候補セルリスト管理手段１２ｂ、セル識別情報取得手段１２ｃ、セル重複判定手段１２ｄおよび周辺セル選択優先度判定手段１２ｅが設けられている。
【００２６】
ここで、追加候補セルリスト管理手段１２ｂは、移動局１５との通信リンクを確立している通信セル＃Ａ〜＃Ｊの変化に応じて追加候補セルリスト１２ａを順次更新したり、追加候補セルリスト１２ａの内容を移動局１５に通知したりするのを管理することができる。また、セル識別情報取得手段１２ｃは、移動局１５が通信確立を希望する通信セル＃Ａ〜＃ＪについてのスクランブリングコードＳＣを移動局１５から取得することができる。セル重複判定手段１２ｄは、セル識別情報取得手段１２ｃにて取得された通信セル＃Ａ〜＃ＪについてのスクランブリングコードＳＣが追加候補セルリスト１２ａに重複して登録されているかどうかを判定することができる。周辺セル選択優先度判定手段１２ｅは、所定の手順に従って、スクランブリングコードＳＣが追加候補セルリスト１２ａに重複して登録されている通信セル＃Ａ〜＃Ｊの選択の優先度を判定することができる。
【００２７】
そして、移動状態にある移動局１５は、ある通信セル＃Ａ〜＃Ｊにおいて基地局１３ａ〜１３ｃとの通信リンクを確立しているものとすると、新たに通信確立を希望する通信セル＃Ａ〜＃Ｊとして、追加候補セルリスト１２ａから検索された通信セル＃Ａ〜＃ＪのスクランブリングコードＳＣを無線制御装置１２に通知することができる。
そして、スクランブリングコードＳＣが移動局１５から無線制御装置１１２に通知されると、そのスクランブリングコードＳＣがセル識別情報取得手段１２ｃにて取得され、セル重複判定手段１２ｄに送られる。そして、セル重複判定手段１２ｄは、セル識別情報取得手段１２ｃにて取得された通信セル＃Ａ〜＃ＪについてのスクランブリングコードＳＣが追加候補セルリスト１２ａに重複して登録されているかどうかを判定することができる。周辺セル選択優先度判定手段１２ｅは、セル識別情報取得手段１２ｃにて取得された通信セル＃Ａ〜＃ＪについてのスクランブリングコードＳＣが追加候補セルリスト１２ａに重複して登録されている場合、所定の手順に従ってそれらの通信セル＃Ａ〜＃Ｊの選択の優先度を判定することができる。
【００２８】
そして、周辺セル選択優先度判定手段１２ｅにて通信セル＃Ａ〜＃Ｊの選択の優先度が判定されると、無線制御装置１２は、優先度の高い通信セル＃Ａ〜＃Ｊにおける移動局１５と基地局１３ａ〜１３ｃとの通信リンクを確立することで、移動局１５とコアネットワーク１１との通信を実現することができる。
これにより、移動局１５が新たに通信確立を希望する通信セル＃Ａ〜＃ＪのスクランブリングコードＳＣが追加候補セルリスト１２ａに重複して登録されている場合においても、移動局１５が新たに通信確立を希望する通信セル＃Ａ〜＃Ｊを無線制御装置１２にて特定することが可能となる。このため、通信セル＃Ａ〜＃ＪのスクランブリングコードＳＣを重複して割り当てることを可能としつつ、移動局１５が通信確立を希望する通信セル＃Ａ〜＃Ｊを無線制御装置１２にて適性に判別することが可能となり、セル設計をする上での柔軟性を確保しつつ、通信セル＃Ａ〜＃Ｊを密に配置することを可能として、移動通信システムの通信容量を拡大することができる。
【００２９】
また、隣接する通信セル＃Ａ〜＃Ｊに対して同一のスクランブリングコードを割り当てたり、同時に通信リンクが確立される可能性のある通信セル＃Ａ〜＃Ｊの周辺セルについても同一のスクランブリングコードＳＣを割り当てたりすることが可能となることから、スクランブリングコードＳＣの繰り返し距離を短縮することができ、移動局１５の探索する周期を短くすることを可能として、通信セル＃Ａ〜＃Ｊの検索にかかる電力や時間を削減することができる。
【００３０】
なお、無線制御装置１２は、移動局１５から通知されたスクランブリングコードＳＣが追加候補セルリスト１２ａに重複して登録されている場合において、優先度に基づいて選択された通信セル＃Ａ〜＃Ｊにおける通信リンクの確立が失敗した場合、その通信リンクの確立が失敗した通信セル＃Ａ〜＃ＪについてのスクランブリングコードＳＣを追加候補セルリスト１２ａから削除するようにしてもよい。
【００３１】
そして、通信リンクの確立が失敗した通信セル＃Ａ〜＃ＪについてのスクランブリングコードＳＣが削除された追加候補セルリスト１２ａにおいて、移動局１５から取得した通信セル＃Ａ〜＃ＪについてのスクランブリングコードＳＣが重複して登録されているかどうかを判定することができる。そして、そのスクランブリングコードＳＣが追加候補セルリスト１２ａに重複して登録されている場合、所定の手順に従って、スクランブリングコードＳＣが追加候補セルリスト１２ａに重複して登録されている通信セル＃Ａ〜＃Ｊの選択の優先度を判定するようにしてもよい。
【００３２】
また、無線制御装置１２は、移動局１５が周辺セルから選択する可能性のある通信セル＃Ａ〜＃ＪについてのスクランブリングコードＳＣを追加候補セルリスト１２ａに登録するとともに、スクランブリングコードＳＣの登録時の時間的順序を登録するようにしてもよい。
そして、スクランブリングコードＳＣの登録時の時間的順序に従って、スクランブリングコードＳＣが追加候補セルリスト１２ａに重複して登録されている通信セル＃Ａ〜＃Ｊの選択の優先度を判定するようにしてもよい。
【００３３】
また、無線制御装置１２は、移動局１５が周辺セルから選択する可能性のある通信セル＃Ａ〜＃ＪについてのスクランブリングコードＳＣを追加候補セルリスト１２ａに登録するとともに、スクランブリングコードＳＣが追加候補セルリスト１２ａに重複して登録されている通信セル＃Ａ〜＃Ｊが、移動局１５との通信が現在確立している通信セル＃Ａ〜＃Ｊのうちのどの通信セル＃Ａ〜＃Ｊの周辺セルであるかを登録するようにしてもよい。
そして、スクランブリングコードＳＣが追加候補セルリスト１２ａに重複して登録されている通信セル＃Ａ〜＃Ｊを周辺セルとして現在通信が確立している通信セル＃Ａ〜＃Ｊにおける通信品質に基づいて、スクランブリングコードＳＣが追加候補セルリスト１２ａに重複して登録されている通信セル＃Ａ〜＃Ｊの選択の優先度を判定するようにしてもよい。
【００３４】
また、無線制御装置１２は、移動局１５が周辺セルから選択する可能性のある通信セル＃Ａ〜＃ＪについてのスクランブリングコードＳＣを追加候補セルリスト１２ａに登録するとともに、その通信セル＃Ａ〜＃Ｊについての位置情報を登録するようにしてもよい。
そして、移動局１５と現在通信が確立している通信セル＃Ａ〜＃Ｊの位置情報およびスクランブリングコードＳＣが追加候補セルリスト１２ａに重複して登録されている通信セル＃Ａ〜＃Ｊの位置情報に基づいて、スクランブリングコードＳＣが追加候補セルリスト１２ａに重複して登録されている通信セル＃Ａ〜＃Ｊの選択の優先度を判定するようにしてもよい。
【００３５】
また、無線制御装置１２は、優先度に基づいて選択された通信セルにおける通信リンクの確立が成功した場合、前記通信セルについての選択の優先度を高くするようにしてもよい。
また、無線制御装置１２は、スクランブリングコードＳＣが追加候補セルリスト１２ａに重複して登録されている全ての通信セル＃Ａ〜＃Ｊとの通信の確立を試みるようにしてもよい。
そして、通信セル＃Ａ〜＃Ｊとの通信の確立の手順から得られる情報に基づいて、スクランブリングコードＳＣが追加候補セルリスト１２ａに重複して登録されている通信セル＃Ａ〜＃Ｊの選択の優先度を判定するようにしてもよい。
【００３６】
図２および図３は、本発明の一実施形態に係る通信セルの選択方法の一例を示す図である。
図２において、通信セル＃Ａの周辺セルが通信セル＃Ａ〜＃Ｇ、通信セル＃Ｂの周辺セルが通信セル＃Ａ〜＃Ｄ、＃Ｈ〜＃Ｊであり、通信セル＃Ｆ、＃Ｈには、同一のスクランブリングコードＳＣ＝１００が割り当てられているものとする。この場合、移動局１５が通信セル＃Ａ、＃Ｂにおいて基地局１３ａ〜１３ｃとの通信リンクを確立しているものとすると、図８に示すように、通信セル＃Ｆ、＃ＨのスクランブリングコードＳＣ＝１００が重複して登録される。
【００３７】
そして、移動局１５が新たに通信確立を希望する通信セル＃Ａ〜＃Ｊとして通信セル＃Ｆを選択すると、無線制御装置１２には、スクランブリングコードＳＣ＝１００が移動局１５から通知される。そして、無線制御装置１１２はクランブリングコードＳＣ＝１００を移動局１５から受け取ると、スクランブリングコードＳＣ＝１００が通信セル＃Ａ〜＃Ｊについて重複して登録されていないかどうか判定する。そして、スクランブリングコードＳＣ＝１００が通信セル＃Ｆ、＃Ｈについて重複して登録されていると判断すると、所定の手順に従ってそれらの通信セル＃Ｆ、＃Ｈの選択の優先度を判定することにより、移動局１５が新たに通信確立を希望する通信セル＃Ｆを特定することができる。
【００３８】
例えば、無線制御装置１２は、スクランブリングコードＳＣ＝１００が追加候補セルリスト１２ａに重複して登録されている通信セル＃Ｆ、＃Ｈにおいて、通信セル＃Ｆを周辺セルとして現在通信が確立している通信セル＃Ａにおける通信品質と、通信セル＃Ｈを周辺セルとして現在通信が確立している通信セル＃Ｂにおける通信品質とを比較することができる。
そして、通信セル＃Ｆを周辺セルとして現在通信が確立している通信セル＃Ａにおける通信品質の方が、通信セル＃Ｈを周辺セルとして現在通信が確立している通信セル＃Ｂにおける通信品質よりも良好である場合、無線制御装置１２は、移動局１５が新たに通信確立を希望する通信セルとして、通信セル＃Ａの周辺セルに属する通信セル＃Ｆを選択することができる。
【００３９】
また、移動局１５と現在通信が確立している通信セル＃Ａ、＃Ｂの位置情報およびスクランブリングコードＳＣが追加候補セルリスト１２ａに重複して登録されている通信セル＃Ｆ、＃Ｈの位置情報に基づいて、移動局１５と現在通信が確立している通信セル＃Ａ、＃Ｂと、スクランブリングコードＳＣが追加候補セルリスト１２ａに重複して登録されている通信セル＃Ｆ、＃Ｈとの間の距離を求めることができる。そして、通信セル＃Ｆと、その通信セル＃Ｆを周辺セルとする通信セル＃Ａとの間の距離よりも、通信セル＃Ｈと、その通信セル＃Ｈを周辺セルとする通信セル＃Ｂとの間の距離の方が大きいものとすると、移動局１５と現在通信が確立している各通信セル＃Ａ、＃Ｂに対して距離が小さい方の通信セル＃Ｈを、移動局１５が新たに通信確立を希望する通信セルとして選択することができる。
【００４０】
また、図３に示すように、移動局１５が通信セル＃Ａ、＃Ｂにおいて基地局１３ａ〜１３ｃとの通信リンクを確立している場合、通信セル＃Ｂにおいて通信が確立された後に通信セル＃Ａにおいて通信が確立されたものとすると、移動局１５は通信セル＃Ｂから通信セル＃Ａの方向に移動している可能性が高いと判断することができる。このため、無線制御装置１２は、移動局１５が新たに通信確立を希望する通信セルとして、通信セル＃Ｂの周辺セルに属する通信セル＃Ｈよりも、通信セル＃Ａの周辺セルに属する通信セル＃Ｆと通信確立を新たに希望する可能性が高いと判断することができ、通信セル＃Ａの周辺セルに属する通信セル＃Ｆを選択することができる。
【００４１】
また、通信セル＃Ｂにおいて通信が確立された後に通信セル＃Ａにおいて通信が確立されたものとすると、通信セル＃Ｂから通信セル＃Ａの方向に移動局１５が移動することを示す方位ベクトルを算出することができる。そして、その方位ベクトルと、通信セル＃Ｆ、＃Ｈへそれぞれ向かう方向とが成す角度を求め、その角度が小さい方の通信セル＃Ｆと通信確立を新たに希望する可能性が高いと判断し、移動局１５が通信確立を新たに希望する可能性が高い通信セルとして通信セル＃Ｆを選択することができる。
【００４２】
また、上述した選択優先度判定処理を用いて移動局１５と通信セル＃Ｆにおける通信が確立した場合、その通信の確立に成功した通信セル＃Ｆを記憶することで、例えば、地理的な条件から移動局１５が移動する可能性の少ない通信セル＃Ｈの選択の優先度を下げることができ、それ以降の選択優先度判定処理において優先度の高い通信セル＃Ｆを優先的に選択することができる。
【００４３】
また、上述した選択優先度判定処理は通信リンクの確立手順の開始後に実施するようにしてもよく、通信セル＃Ｆ、＃Ｈに対する通信リンクの確立手順を同時に並列して試み、その通信リンクの確立手順において得られる情報から通信セル＃Ｆ、＃Ｈの選択の優先度を判定するようにしてもよい。なお、通信リンクの確立手順において得られる情報としては、例えば、基地局１３ａ〜１３ｃへの制御信号の応答から得られる情報を用いることができる。
【００４４】
そして、優先度の高い通信セル＃Ｆ、＃Ｈと移動局１５との間で実際の通信リンクの設定を継続し、優先度の高い通信セル＃Ｆ、＃Ｈへの通信リンクの確立に成功した時点で他の通信セル＃Ｆ、＃Ｈへの通信リンクの確立手順を解除することができる。
あるいは、優先度の高い通信セル＃Ｆ、＃Ｈへの通信リンクの確立に失敗した時点で次の優先度の通信セル＃Ｆ、＃Ｈに対する通信リンクの確立手順を再開するようにしてもよい。
【００４５】
図４は、本発明の一実施形態に係る通信セル選択方法を示すフローチャートである。
図４において、図１のセル識別情報取得手段１２ｃは、スクランブリングコードＳＣなどの識別情報を移動局１５から取得し（ステップＳ１１）、セル重複判定手段１２ｄに送る。そして、セル重複判定手段１２ｄは、セル識別情報取得手段１２ｃにて取得された通信セル＃Ａ〜＃Ｊについての識別情報に基づいて追加候補セルリスト１２ａを検索し（ステップＳ１２）、セル識別情報取得手段１２ｃにて取得された通信セル＃Ａ〜＃Ｊについての識別情報が追加候補セルリスト１２ａに重複して登録されているかどうかを判定する（ステップＳ１３）。
【００４６】
そして、セル識別情報取得手段１２ｃにて取得された通信セル＃Ａ〜＃Ｊについての識別情報が追加候補セルリスト１２ａに重複して登録されていない場合、その通信セル＃Ａ〜＃Ｊにおける移動局１５と基地局１３ａ〜１３ｃとの通信リンクの確立手順を実施する（ステップＳ１４）。
一方、セル識別情報取得手段１２ｃにて取得された通信セル＃Ａ〜＃Ｊについての識別情報が追加候補セルリスト１２ａに重複して登録されている場合、周辺セル選択優先度判定手段１２ｅは、所定の手順に従ってそれらの通信セル＃Ａ〜＃Ｊの選択の優先度を判定する（ステップＳ１５）。
そして、周辺セル選択優先度判定手段１２ｅにて通信セル＃Ａ〜＃Ｊの選択の優先度が判定されると、無線制御装置１２は、優先度の高い通信セル＃Ａ〜＃Ｊにおける移動局１５と基地局１３ａ〜１３ｃとの通信リンクの確立手順を実施する（ステップＳ１６）。
【００４７】
そして、優先度に基づいて選択された通信セル＃Ａ〜＃Ｊにおける通信リンクの確立が成功したがどうかを判定し（ステップＳ１７）、優先度に基づいて選択された通信セル＃Ａ〜＃Ｊにおける通信リンクの確立が失敗した場合、その通信リンクの確立が失敗した通信セル＃Ａ〜＃Ｊについての識別情報を追加候補セルリスト１２ａから削除する（ステップＳ１８）。
一方、優先度に基づいて選択された通信セル＃Ａ〜＃Ｊにおける通信リンクの確立が成功した場合、その通信セル＃Ａ〜＃Ｊについては、優先度に高い周辺セルとして追加候補セルリスト１２ａに記憶する（ステップＳ１９）。
【００４８】
図５は、本発明の一実施形態に係る無線制御装置が適用される移動通信システムにおける通信リンクの確立方法を示すブロック図である。
図５において、無線制御装置１２は、データベース１６に接続されるとともに、基地局１３ａ〜１３ｃに接続され、移動局１５と通信リンクが確立される無線区間は通信セル＃Ａ、＃Ｂ、＃Ｆ、＃Ｈに分割されているものとする。なお、データベース１６は、図４で説明した優先度に基づいて選択された通信セル＃Ａ〜＃Ｊにおける通信リンクの確立が失敗したか成功したかの情報を格納することができる。
【００４９】
そして、移動局１５は、通信セル＃Ａ、＃Ｂにおいて基地局１３ａ〜１３ｃとの通信リンクを確立しているものとすると、新たに通信確立を希望する通信セルとしてスクランブリングコードＳＣ＝１００を無線制御装置１２に通知することができる。そして、無線制御装置１２は、スクランブリングコードＳＣ＝１００が割り当てられている通信セル＃Ｆ、＃Ｈのうち、通信セル＃Ｆの方が優先度が高いと判断すると、通信セル＃Ｆにおいて通信リンクの確立を試みることができる（Ｐ１）。そして、無線制御装置１２は、通信セル＃Ｆにおける通信リンクの確立に失敗すると、通信セル＃Ｈにおいて通信リンクの確立を試みることができる（Ｐ２）。
【００５０】
あるいは、無線制御装置１２は、スクランブリングコードＳＣ＝１００を移動局１５から受け取ると、通信セル＃Ｆ、＃Ｈにおける通信リンクの確立を並行して試み、最終的に通信セル＃Ｈにおける通信リンクの確立を成功させ、通信セル＃Ｆにおける通信リンクも確立させることができる。
さらに、無線制御装置１２は、通信セル＃Ｆにおける通信リンクの確立に失敗し、通信セル＃Ｈにおける通信リンクの確立に成功した場合、「通信セル＃Ｆにおける通信リンクの確立に失敗」という情報と、「通信セル＃Ｈにおける通信リンクの確立に成功」という情報とをデータベース１６に記憶させることができる（Ｐ３）。
【００５１】
そして、無線制御装置１２は、スクランブリングコードＳＣ＝１００を移動局１５から受け取ると、データベース１６を参照することで、「通信セル＃Ｆにおける通信リンクの確立に失敗」という情報と、「通信セル＃Ｈにおける通信リンクの確立に成功」という情報とを読み出すことができる（Ｐ４）。そして、「通信セル＃Ｈにおける通信リンクの確立に成功」という情報が得られると、通信セル＃Ｈにおいて通信リンクの確立を優先して試みることができる。
【００５２】
また、無線制御装置１２は、スクランブリングコードＳＣ＝１００を移動局１５から受け取ると、地理的条件などから通信セル＃Ｈが選択されることが支配的であれば、通信セル＃Ｈを優先的に選択することができる。そして、無線制御装置１２は、新たな通信リンクの確立手順を実施する場合、通信セル＃Ｆにおける通信リンクの確立手順を実施することなく、通信セル＃Ｈにおける通信リンクの確立を試みることができる。
【図面の簡単な説明】
【００５３】
【図１】本発明の一実施形態に係る無線制御装置が適用される移動通信システムの概略構成を示すブロック図である。
【図２】本発明の一実施形態に係る通信セルの選択方法の一例を示す図である。
【図３】本発明の一実施形態に係る通信セルの選択方法のその他の例を示す図である。
【図４】本発明の一実施形態に係る通信セル選択方法を示すフローチャートである。
【図５】本発明の一実施形態に係る無線制御装置が適用される移動通信システムにおける通信リンクの確立方法を示すブロック図である。
【図６】従来の無線制御装置が適用される移動通信システムの概略構成を示すブロック図である。
【図７】移動状態にある移動局と基地局との無線リンクの切り替え方法を示す図である。
【図８】移動局に追加される通信セルの選択方法を示す図である。
【符号の説明】
【００５４】
１１  コアネットワーク
１２  無線制御装置
１２ａ  追加候補セルリスト
１２ｂ  追加候補セルリスト管理手段
１２ｃ  セル識別情報取得手段
１２ｄ  セル重複判定手段
１２ｅ  周辺セル選択優先度判定手段
１３ａ〜１３ｃ  基地局
＃Ａ〜＃Ｊ  通信セル
１５  移動局
【図１】
2008271398.tif 000003
【図２】
2008271398.tif 000004
【図３】
2008271398.tif 000005
【図４】
2008271398.tif 000006
【図５】
2008271398.tif 000007
【図６】
2008271398.tif 000008
【図７】
2008271398.tif 000009
【図８】
2008271398.tif 000010